(57)【要約】【課題】テープカートリッジが正しい向きで包装容器内に収容されるようにして、包装容器を誤って落下させても内部のテープカートリッジが損傷し難いようにする。【解決手段】テープカートリッジ１は、角箱状の本体ケース３の一角部３ａを角落とし形成し、その一角部３ａにテープ引出口６が開口している。かかるテープカートリッジ１は、左右方向に３列並べた状態で包装する。その際に、各テープカートリッジ１の一角部３ａが上側に向き、かつ左右両端のテープカートリッジ１の一角部３ａが包装容器の左右中央側に向く姿勢で包装する。テープカートリッジ１の上側を覆う包装容器の蓋壁２２の内面には、左右一対の規制突起２５・２６を設ける。左右の規制突起２５・２６は、テープカートリッジ１の一角部３ａによって包装容器内に生じた左右の空間２７・２９にそれぞれ入り込む。【選択図】図１
2007045441.tif 000002
【特許請求の範囲】
【請求項１】
角箱状の本体ケースの一つの角部が、角落とし状に形成されていて前記一角部に開口する開口部を有するカートリッジを、左右方向に複数列並べた状態で包装する包装容器であって、
前記各カートリッジの前記一角部が上側に向き、かつ左右両端のカートリッジの前記一角部が前記包装容器の左右中央側に向く姿勢で包装されるよう設定してあり、
前記カートリッジの上側を覆う蓋の内面には、規制突起が設けられており、
前記規制突起が、前記本体ケースの前記一角部の角落としによって前記包装容器内に生じた空間に入り込むようにしたことを特徴とする包装容器。
【請求項２】
四角形状の外箱と、この外箱内に収容されて前記カートリッジを覆う内装部材とを備えており、
前記内装部材は、前記カートリッジの上側を覆う蓋壁を含み、
前記蓋壁の内面に前記規制突起を配してある請求項１記載の包装容器。
【請求項３】
複数個の前記カートリッジを前記一角部が同じ向きになるよう揃えた状態で、前後方向に重ねて結束したカートリッジ束を形成し、
前記カートリッジ束を、左右方向に複数個並べた状態で包装する請求項１又は２記載の包装容器。
【発明の詳細な説明】
【技術分野】
【０００１】
本発明は、データなどを記録するための磁気テープなどを収容したカートリッジの包装に適した包装容器に関する。
【背景技術】
【０００２】
例えば、単リール型のテープカートリッジでは、図２に示すごとく、角箱状の本体ケース３の内部に、磁気テープが巻かれる一つのリール５を収容してあり、本体ケース３の一つの角部３ａに傾斜面３ｂを角落とし形成し、この傾斜面３ｂに磁気テープを繰り出すためのテープ引出口６が開口している。
【０００３】
本体ケース３の前記一角部３ａは、テープ引出口６が開口している分だけ強度が低下している。このため、特許文献１〜３などに示す包装容器にテープカートリッジ１を梱包した状態において、落下衝撃を受けると本体ケース３の前記一角部３ａが損傷しやすい。
【０００４】
そこで、本出願人は、図１に示すごとく、テープカートリッジ１のテープ引出口６を有する一角部３ａが包装容器の内面角と対峙しないようテープカートリッジ１を収容し、落下衝撃がテープカートリッジ１の該当の一角部３ａに直接加わらないようにすることを検討した。
【０００５】
【特許文献１】実開昭５８−１２５１６９号公報（第１−２図）
【特許文献２】実開昭５９−１０１７０号公報（第２図）
【特許文献３】実開平４−１３２０２６号公報（図２）
【発明の開示】
【発明が解決しようとする課題】
【０００６】
しかし、包装容器にテープカートリッジ１を収容する際に、テープカートリッジ１の向きを誤った状態で収容するおそれがあり、この点を配慮する必要性があることを知った。
【０００７】
そこで、本発明の目的は、カートリッジが誤った向きで収容されることを確実に防止し、落下衝撃を受けてもカートリッジの特に開口部（テープ引出口）を有する一角部が損傷し難い包装容器を提供することにある。
【課題を解決するための手段】
【０００８】
本発明が対象とする包装容器は、図２に示すごとく角箱状の本体ケース３の一つの角部３ａが角落とし状に形成されていて、その一角部３ａに開口する開口部６を有するカートリッジ１を、図１に示すごとく左右方向に複数列並べた状態で包装する。ここでのカートリッジ１は、磁気テープが巻かれる一つのリール５を収容した単リール型のテープカートリッジなどが該当する。
【０００９】
本発明の包装容器は、各カートリッジ１の前記一角部３ａが上側に向き、かつ左右両端のカートリッジ１・１の前記一角部３ａが包装容器の左右中央側に向く姿勢で包装されるよう設定してあり、カートリッジ１の上側を覆う蓋２２の内面には、規制突起２５・２６が設けられていて、この規制突起２５・２６が、本体ケース３の前記一角部３ａの角落としによって包装容器内に生じた空間２７・２９に入り込むようにしたことを特徴とする。蓋２２は、上蓋の場合と底蓋の場合とが該当し、蓋２２に対面する側がカートリッジ１の上側になる。
【００１０】
具体的には、図３に示すごとく、四角形状の外箱９と、この外箱９内に収容されてカートリッジ１を覆う内装部材１０とを備えており、内装部材１０は、カートリッジ１の上側を覆う蓋壁２２を含み、蓋壁２２の内面に規制突起２５・２６を配してある。
【００１１】
複数個のカートリッジ１を前記一角部３ａが同じ向きになるよう揃えた状態で、前後方向に重ねて結束したカートリッジ束２を形成し、このカートリッジ束２を、左右方向に複数個並べた状態で包装する。前記カートリッジ１の結束は、帯体Ｔのみでの結束や、シュリンク包装のみによる結束などが含まれる。
【発明の効果】
【００１２】
本発明によれば、各カートリッジ１を正しい向きで梱包したときには、規制突起２５・２６が空間２７・２９に入り込んで、蓋２２がカートリッジ１の上側を適正に覆う。このときには、左右両端のカートリッジ１・１の一角部３ａが、包装容器の左右中央側にそれぞれ向いているので、包装容器を誤って落下させても、その落下衝撃がカートリッジ１の一角部３ａに加わり難く、該当部位をよく保護する。
【００１３】
左右両端のカートリッジ１・１のいずれか一方の向きを間違えて包装容器に梱包したときには、規制突起２５・２６がカートリッジ１の上面に突き当たって、蓋２２は半開き状態になる。これにより、カートリッジ１の向きが間違っていることに気付き、カートリッジ１を正しい向きに修正できる。
【００１４】
カートリッジ１を外箱９と内装部材１０とで二重に覆うと、落下衝撃をより緩和できてカートリッジ１の損傷防止に有利である。
【００１５】
複数個のカートリッジ１でカートリッジ束２を形成して包装容器に収容する場合、多数のカートリッジ１であっても正しい向きで包装容器に丸ごと収容でき、カートリッジ１が確実に損傷し難くなる。
【発明を実施するための最良の形態】
【００１６】
図面は、本発明が対象とする包装容器の実施例を示す。ここでの包装容器は、図３に示す四角形状のカートリッジ束２を左右方向に３列並べた状態で包装することを想定している。カートリッジ束２は、図２に示すごとく、１０個のテープカートリッジ１を前後（厚み）方向に重ねた状態で帯体Ｔで束ねたのちに、これらの外周を熱収縮性フィルムＦでシュリンク包装したものである。
【００１７】
テープカートリッジ１は、四角箱状の本体ケース３の内部に、データなどを記録するための磁気テープが巻かれた１個のリール５が配置されている。本体ケース３の一つの角部３ａの外面には、磁気テープを繰り出すためのテープ引出口（開口部）６を開口した傾斜面３ｂが角落とし形成されている。
【００１８】
磁気テープの繰り出し端には、テープドライブ側の連結具で捕捉される先導体７を連結してある。不使用時の先導体７は、テープ引出口６の内面に設けたキャッチ機構によってテープ引出口６を塞ぐ姿勢で保持される。各カートリッジ束２において各テープカートリッジ１は、図２に示すごとく、一角部３ａが同じ向きになるよう揃えてある。
【００１９】
各カートリッジ束２は、図１に示すごとく、テープカートリッジ１の一角部３ａが上側に向く姿勢で包装する。かつ、左右両端のカートリッジ束２は、それぞれテープカートリッジ１の一角部３ａが包装容器の左右中央側に向く姿勢で包装する。中央のカートリッジ束２におけるテープカートリッジ１の一角部３ａは、左端のカートリッジ束２側に向く姿勢で包装する。
【００２０】
包装容器は、図３に示すごとく、上面が開口する四角形状の外箱９と、この外箱９内に収容される内装部材１０とを有する。外箱９は、厚さ寸法が約８mmのＡＢフルートの段ボールで形成されており、上面が開口する左右横長の四角形状の箱本体１１と、箱本体１１の開口上端の左右に連設された左右一対の内フラップ１２・１２と、箱本体１１の開口上端の前後に連設された前後一対の外フラップ１３・１３とを含む。内フラップ１２・１２と外フラップ１３・１３とが、蓋として箱本体１１の開口上端を閉じる。
【００２１】
内装部材１０は、厚さ寸法が約１５mmのハニカム構造の段ボールで形成されており、３個のカートリッジ束２の上下および前後を覆う内装本体１５と、この内装本体１５とは独立して形成されてカートリッジ束２の左右を覆う左右一対の緩衝板１６・１６とを含む。内装部材１０を形成するハニカム構造の段ボールは、図４に示すごとく多数の六角筒状のセルＣを有する。
【００２２】
内装本体１５は、図４の展開状態において前後方向に長い長方形状になっており、３個のカートリッジ束２が載置される底壁１９と、この底壁１９の前後端にそれぞれ折線Ｌ１・Ｌ２を介して折り曲げ自在に連設された前後一対の内壁２０・２１と、後側内壁２１の後端に折線Ｌ３を介して折り曲げ自在に連設されて３個のカートリッジ束２の上側を覆う蓋壁（蓋）２２とを備えている。
【００２３】
緩衝板１６・１６は、それぞれ前後方向に長い扁平長方形状に形成されており、図１に示すごとく、３個のカートリッジ束２と、外箱９の箱本体１１の左右内面との間に縦姿勢でそれぞれ配される。各緩衝板１６の高さは、外箱９内に配した状態で内装本体１５の前後の内壁２０・２１の上端部位よりも突出するよう寸法設定した。
【００２４】
内装本体１５の蓋壁２２の内面には、図１および図５に示すごとく、前後方向に延びる左右一対の規制突起２５・２６が固定されている。左右の規制突起２５・２６は、段ボールや発泡スチロールなどで形成した。
【００２５】
左側の規制突起２５は、図１に示すごとく、左端のカートリッジ束２におけるテープカートリッジ１の前記一角部３ａと、中央のカートリッジ束２におけるテープカートリッジ１の前記一角部３ａとによって包装容器内に形成された断面三角形の左側空間２７内に入り込む。右側の規制突起２６は、右端のカートリッジ束２のテープカートリッジ１の前記一角部３ａによって包装容器内に形成された断面三角形の右側空間２９内に入り込む。
【００２６】
梱包に際しては、内装本体１５の底壁１９に対して前後の内壁２０・２１をそれぞれ折線Ｌ１・Ｌ２を介して直角に内折りする。この後、内装本体１５を外箱９内に収容し、内装本体１５の底壁１９上に３個のカートリッジ束２を左右方向に並べて載置し、外箱９に緩衝板１６・１６をそれぞれ配する。この際、左端、中央および右端の各カートリッジ束２は、先に説明した向きに載置する。
【００２７】
次いで、内装本体１５の後側内壁２１に対して蓋壁２２を折線Ｌ３を介して直角に内折りする。これによって、左右の規制突起２５・２６が左右の空間２７・２９にそれぞれ入り込み、３列のカートリッジ束２の上側に蓋壁２２が密着する（図１の状態）。最後に、外箱９の内フラップ１２・１２と外フラップ１３・１３とを箱本体１１に対して直角に内折りして、箱本体１１の開口上端を閉じる。この包装状態で、カートリッジ束２は内装部材１０に密着し、内装部材１０が外箱９の内面に密着して、３列のカートリッジ束２が外箱９と内装部材１０とで二重に覆われる。
【００２８】
例えば、左右両端のカートリッジ束２のうち、いずれか一方のカートリッジ束２の向きを間違えた状態で、内装本体１５の底壁１９上に載置したときには、規制突起２５・２６の一方がカートリッジ束２の上面に突き当たって、蓋壁２２は半開き状態になる。これで作業者は、カートリッジ束２の向きが間違っていることに気付き、カートリッジ束２の向きを修正できる。
【００２９】
開梱に際しては、外箱９の外フラップ１３・１３と内フラップ１２・１２とを開いて、内装本体１５の蓋壁２２を起立させたのち、左右の緩衝板１６・１６を、それぞれ上方に引っ張って外箱９から引き抜く。これによってカートリッジ束２と外箱９の左右の内面との間に生じた隙間に、指などを差し入れてカートリッジ束２を包装容器から引き出す。
【００３０】
蓋壁２２は、内装本体１５とは別に形成してもよい。外箱９内に内装部材１０を配しない場合には、外箱９の内フラップ１２・１２の内面に規制突起２５・２６を配してもよい。
【００３１】
内装本体１５の底壁（底蓋）１９の内面に規制突起２５・２６を配してもよい。この場合、テープカートリッジ１の一角部３ａを底壁１９側に向けることになる。隣り合うカートリッジ束２・２間にも緩衝板１６を配することができる。外箱９や内装部材１０は、合成樹脂製の段ボールであってもよい。
【図面の簡単な説明】
【００３２】
【図１】本発明にかかる包装容器の縦断正面図
【図２】カートリッジ束の分解斜視図
【図３】包装容器の分解斜視図
【図４】内装部材の展開図
【図５】図１のＡ−Ａ線断面図
【符号の説明】
【００３３】
１  テープカートリッジ
２  カートリッジ束
３  本体ケース
３ａ  本体ケースの一角部
６  テープ引出口
９  外箱
１０  内装部材
２２  蓋壁
２５  左側の規制突起
２６  右側の規制突起
２７  左側の空間
２９  右側の空間
【図１】
2007045441.tif 000003
【図２】
2007045441.tif 000004
【図３】
2007045441.tif 000005
【図４】
2007045441.tif 000006
【図５】
2007045441.tif 000007